(57)【特許請求の範囲】
【請求項１】
自装置に格納された情報を、通信網を介して自装置と通信可能なバックアップ処理装置に記憶させる移動通信端末であって、
地域を記憶する記憶手段と、
自装置の現在位置を取得する位置取得手段と、
前記位置取得手段にて取得した現在位置が前記記憶手段に記憶された地域内の位置である場合に、前記情報を前記通信網を介して前記バックアップ処理装置へ送信し、当該情報の記憶を前記バックアップ処理装置に要求する要求手段と
を有する移動通信端末。
【請求項２】
前記記憶手段は、前記情報と前記地域とを対応付けて記憶する手段であり、
前記要求手段は、前記位置取得手段にて取得した現在位置が前記地域内の位置である場合に、当該地域に対応付けられて前記記憶手段に記憶された情報を前記通信網を介して前記バックアップ処理装置へ送信し、当該情報の記憶を前記バックアップ処理装置に要求する
ことを特徴とする請求項１に記載の移動通信端末。
【請求項３】
現在時刻を取得する時刻取得手段を有し、
前記要求手段は、前記バックアップ処理装置に情報の記憶を要求した時刻を前記時刻取得手段を用いて取得して記憶し、情報の記憶を要求した前回の時刻と前記時刻取得手段により取得した今回の現在時刻との差を示す時間が所定の時間より短い場合には、前記位置取得手段にて取得した現在位置が前記地域内の位置である場合であっても、前記バックアップ処理装置に情報の送信を行わない
ことを特徴とする請求項１又は２に記載の移動通信端末。
【請求項４】
前記位置取得手段を用いて取得した現在位置を含む所定の範囲を前記地域として前記記憶手段に記憶させる地域設定手段を有する請求項１〜３のいずれか一に記載の移動通信端末。
【請求項５】
自装置の現在位置を取得可能な移動通信端末と本装置とを接続するための接続手段と、
地域を記憶する記憶手段と、
前記接続手段を用いて接続された移動通信端末の現在位置が前記地域内の位置であるか否かを判定し、前記現在位置が前記地域内の位置であると判定された場合に、前記接続手段を用いて接続された移動通信端末と前記記通信網を介して通信可能な前記バックアップ処理装置へ前記情報を送信し、当該情報の記憶を前記バックアップ処理装置に要求するように当該移動通信端末を制御する制御手段と
を有する情報記憶モジュール。
【請求項６】
情報を格納するコンピュータ装置に、
地域を記憶する記憶手段と、
当該コンピュータ装置の現在位置を取得する位置取得手段と、
前記位置取得手段にて取得した現在位置が前記記憶手段に記憶された地域内の位置である場合に、通信網を介して当該コンピュータ装置と通信可能なバックアップ処理装置へ前記情報を送信し、当該情報を記憶することを前記バックアップ処理装置に要求する要求手段と
を実現させるためのプログラム。
【請求項７】
情報を格納するコンピュータ装置に、
自装置の現在位置を取得可能な移動通信端末と当該コンピュータ装置とを接続するための接続手段と、
地域を記憶する記憶手段と、
前記接続手段を用いて接続された移動通信端末の現在位置が前記地域内の位置であるか否かを判定し、前記現在位置が前記地域内の位置であると判定された場合に、前記接続手段を用いて接続された移動通信端末と前記記通信網を介して通信可能な前記バックアップ処理装置へ前記情報を送信し、当該情報の記憶を前記バックアップ処理装置に要求するように当該移動通信端末を制御する制御手段と
を実現させるためのプログラム。
【請求項８】
請求項６又は７に記載のプログラムを記録したコンピュータ装置読み取り可能な記録媒体。
【発明の詳細な説明】
【０００１】
【発明の属する技術分野】
本発明は、移動通信端末に記憶された情報のバックアップ技術に関する。
【０００２】
【従来の技術】
近年、携帯電話機の高機能化に伴い、携帯電話機を用いた様々なサービスが実現されている。例えば、携帯電話機のユーザが、携帯電話機を用いてインターネットに接続し、様々な情報を閲覧するといったことが挙げられる。このように、携帯電話機を用いてインターネットを利用することが可能になったことにより、ユーザのニーズに応じた情報を取得することが可能になった。また、その他にも、携帯電話機では、ソフトウェアを動作させること、待ち受け画面にユーザの好みの画像を表示させること、または着信があった場合に奏でられる着信メロディをユーザの好みに応じて選択できることなどが実現されている。
【０００３】
【発明が解決しようとする課題】
ところで、上記のような、ソフトウェア、待ち受け画面の画像または着信メロディなど（以下、これらを「コンテンツ」と呼ぶ。）を取得するためには、一般的に、ユーザは所定の料金を支払わねばならい。もし、誤って、これらコンテンツを消去してしまうと、当該コンテンツを引き続き使用することをユーザが望む場合には、ユーザは再度所定の料金を支払って当該コンテンツを取得しなければならず、不経済である。
このようなユーザの誤操作によるコンテンツの削除に備えるためには、携帯電話機内のコンテンツを複製し他の場所（例えば、通信網を介して当該携帯電話機と通信可能なサーバ装置など）に保管すること（以下、「バックアップ」と呼ぶ。）が考えられる。しかし、一週間に一度などの頻度で定期的に、コンテンツを所定のサーバ装置に送信する等して、コンテンツのバックアップを行うことは、ユーザにとって、わずらわしい作業であり、このわずらわしさから解放されることを望むユーザが少なくない。
ところで、パーソナルコンピュータ（以下、「ＰＣ」と呼ぶ。）に関する情報技術分野では、毎日所定の時刻に至るとＰＣが自装置に有線接続されたサーバ装置へ情報を送信し、この情報を当該サーバ装置に記憶させることによりバックアップを行う技術などが提案され、実施されている。上述のニーズに応えるために、このＰＣ用の技術を携帯電話機に適用することが考えられる。
しかし、上述のＰＣ用のバックアップ技術を、そのまま携帯電話機に適用したとしても、携帯電話機の特性に起因する様々な問題点が発生してしまう。具体的には、固定的に設置されたＰＣと異なり携帯電話機はユーザに携帯されて当該ユーザとともに移動するものであるから、上記所定の時刻に携帯電話機が通信可能圏外にあり、バックアップを行えないことがある。また、外部電源から常に電力の供給を受けて駆動するＰＣと異なり、携帯電話機は自装置に内蔵された電池から電力の供給を受けて駆動するものであるから、バックアップ中に当該電池が放電しきってしまうと、もはや、携帯電話機は通信を継続することができず、バックアップが不完全になるといった問題点がある。
本発明は上述した事情に鑑みてなされたもので、本発明の目的は、ユーザをわずらわすことなく、携帯電話機に記憶されている情報のバックアップを確実に完遂する技術を提供することを目的とする。
【０００４】
【課題を解決するための手段】
上記目的を達成するために本発明は、自装置に格納された情報を、通信網を介して自装置と通信可能なバックアップ処理装置に記憶させる移動通信端末であって、地域を記憶する記憶手段と、自装置の現在位置を取得する位置取得手段と、前記位置取得手段にて取得した現在位置が前記記憶手段に記憶された地域内の位置である場合に、前記情報を前記通信網を介して前記バックアップ処理装置へ送信し、当該情報の記憶を前記バックアップ処理装置に要求する要求手段とを有する移動通信端末を提供する。前記記憶手段は、前記情報と前記地域とを対応付けて記憶する手段であり、前記要求手段は、前記位置取得手段にて取得した現在位置が前記地域内の位置である場合に、当該地域に対応付けられて前記記憶手段に記憶された情報を前記通信網を介して前記バックアップ処理装置へ送信し、当該情報の記憶を前記バックアップ処理装置に要求するものであってもよい。
【００１１】
また、上記目的を達成するために本発明は、情報を格納するコンピュータ装置に、地域を記憶する記憶手段と、当該コンピュータ装置の現在位置を取得する位置取得手段と、前記位置取得手段にて取得した現在位置が前記記憶手段に記憶された地域内の位置である場合に、通信網を介して当該コンピュータ装置と通信可能なバックアップ処理装置へ前記情報を送信し、当該情報を記憶することを前記バックアップ処理装置に要求する要求手段とを実現させるためのプログラムと、当該プログラムを記録した記録媒体とを提供する。
【００１２】
この様な移動通信端末、プログラムおよび記録媒体を用いると、当該移動通信端末が特定の地域に入ったときに、当該移動通信端末に記憶されている情報を通信網を介してバックアップ処理装置に送信し、当該情報はバックアップ処理装置に記憶される。
【００１３】
また、上記目的を達成するために本発明は、自装置の現在位置を取得可能な移動通信端末と本装置とを接続するための接続手段と、地域を記憶する記憶手段と、前記接続手段を用いて接続された移動通信端末の現在位置が前記地域内の位置であるか否かを判定し、前記現在位置が前記地域内の位置であると判定された場合に、前記接続手段を用いて接続された移動通信端末と前記記通信網を介して通信可能な前記バックアップ処理装置へ前記情報を送信し、当該情報の記憶を前記バックアップ処理装置に要求するように当該移動通信端末を制御する制御手段とを有する情報記憶モジュールを提供する。
【００１４】
また、上記目的を達成するために本発明は、情報を格納するコンピュータ装置に、自装置の現在位置を取得可能な移動通信端末と当該コンピュータ装置とを接続するための接続手段と、地域を記憶する記憶手段と、前記接続手段を用いて接続された移動通信端末の現在位置が前記地域内の位置であるか否かを判定し、前記現在位置が前記地域内の位置であると判定された場合に、前記接続手段を用いて接続された移動通信端末と前記記通信網を介して通信可能な前記バックアップ処理装置へ前記情報を送信し、当該情報の記憶を前記バックアップ処理装置に要求するように当該移動通信端末を制御する制御手段とを実現させるためのプログラムと、当該プログラムを記録した記録媒体とを提供する。
【００１５】
この様な情報記憶モジュール、プログラムおよび記録媒体を用いると、当該情報記憶モジュールを接続された移動通信端末が特定の地域に入ったときに、当該情報記憶モジュールは、自装置に接続された移動通信端末を制御して、自装置に記憶されている情報を通信網を介してバックアップ処理装置に送信させ、当該情報はバックアップ処理装置に記憶される。
【００１６】
【発明の実施の形態】
以下、図面を参照して本発明に係る実施形態について説明する。ただし、本発明の技術的範囲は係る実施形態に限定されるものではなく、係る実施形態に周知技術を適用して得られる、特許請求の範囲に記載された範囲内の任意の態様を含む。
【００１７】
（１）全体構成
図１は本発明に係る移動通信端末を有する通信システムの全体構成の一例を示す図である。詳細は後述するが、この図に示す通信システムは、移動通信端末（以下、「ＤＴＥ」とする）１１と、通信網１２と、バックアップ処理装置１３とを有している。この通信システムでは、ＤＴＥ１１の充電が開始されたときに、当該ＤＴＥ１１は自装置に記憶しているコンテンツを通信網１２を介してバックアップ処理装置１３に送信し、当該コンテンツは当該バックアップ処理装置１３に記憶される。
【００１８】
ＤＴＥ１１は、例えば、プログラム実行機能付き携帯電話機であり、通信網１２に収容され、当該通信網１２を介してインターネット上のＷＷＷ（World Wide Web）サーバと通信（例えば、当該ＷＷＷサーバに格納されているコンテンツのダウンロードなど）を行うことができる。なお、図１においては、一つのＤＴＥ１１が例示されているが、実際には、多数のＤＴＥ１１が当該通信システムに包含されている。
【００１９】
通信網１２は、詳細な図示は省略するが、基地局と、交換装置と、ゲートウェイ装置（以下、「ＧＷ」とする）とを有している。基地局は、地上を所定の範囲（例えば、当該基地局を中心とする半径５００ｍ等の範囲）で分割した地域毎に設置されるものであり、当該範囲にあるＤＴＥ１１との間で無線通信を行う。交換装置は、複数の基地局を収容するコンピュータ装置であり、ＤＴＥ１１からのパケット交換要求を受け付けるとともに、受け付けたパケットを他の交換装置および自装置の支配下の基地局の少なくとも一方を介して宛先の携帯電話機へ中継する。また、交換装置は、ＤＴＥ１１とＧＷとのパケット交換も中継する。ＧＷは通信網１２と他の通信網（例えば、インターネット）とを相互接続するためのコンピュータ装置であり、通信網１２における通信プロトコルと他の通信網における通信プロトコルとの相互変換を行う。
【００２０】
バックアップ処理装置１３は、例えば、上述したＧＷに接続されたコンピュータ装置であり、ＤＴＥ１１から送信されてきたコンテンツを受信し記憶するものである。
【００２１】
（２）ＤＴＥ１１の構成と機能
（２−１）ＤＴＥ１１の構成
図２は、ＤＴＥ１１の構成の一例を示すブロック図であり、この図に示されるように、ＤＴＥ１１は、ＣＰＵ（Central Processing Unit）２１と、無線通信部２２と、揮発性記憶部２３と、不揮発性記憶部２４と、電源部２５と、これら各要素間のデータ授受を仲介するバス２６とを有している。また、ＤＴＥ１１は、詳細な図示は省略するが、上述した構成要素の他に表示部と操作部とを有している。操作部は、ユーザに種々の入力操作を行わせるための操作子（テンキーやカーソルキーなど）を備えており、ユーザによる操作子の操作内容に応じた情報をバス２６を介してＣＰＵ２１に渡すものである。表示部は、例えば液晶ディスプレイであり、バス２６を介してＣＰＵ２１から供給された画像情報に応じた画像を表示するものである。
【００２２】
ＣＰＵ２１は、詳細は後述するが、不揮発性記憶部２４に記憶されているソフトウェアを実行することにより、ＤＴＥ１１の各部を制御する装置である。無線通信部２２は通信網１２に包含された基地局（図示省略）と無線通信を行うためのものであり、ＣＰＵ２１から供給された情報を通信網１２へ送出するとともに、通信網１２から受信した情報をＣＰＵ２１へ渡すものである。
【００２３】
揮発性記憶部２３は、例えばＲＡＭ（Random Access Memory）であり、ソフトウェアを実行中のＣＰＵ２１によりワークエリアとして使用される。不揮発性記憶部２４は、例えばＥＥＰＲＯＭ（Electronically Erasable and Programmable Read Only Memory）であり、システム情報記憶領域２４１とコンテンツ記憶領域２４２とを有している。システム情報記憶領域２４１は、各種識別情報と、当該ＤＴＥ１１の機能を実現するためのソフトウェアとを記憶するための記憶領域である。なお、各種識別情報とは、当該ＤＴＥ１１を一意に識別するための情報である端末識別子や、当該ＤＴＥ１１に記憶されているコンテンツのバックアップ先を示す情報（例えば、バックアップ処理装置１３のＵＲＬ（Uniform Resource Locator））であるバックアップ先識別子などである。また、当該ＤＴＥ１１の機能を実現するためのソフトウェアとは、オペレーティングシステム（以下、「ＯＳ」とする）や、ブラウザや、後述するバックアップ要求プログラム等である。一方、コンテンツ記憶領域２４２は、上述したブラウザを用いてインターネット上のＷＷＷサーバから取得したコンテンツを記憶するための記憶領域である。
【００２４】
電源部２５は、電池２５１と、充電インターフェイス部２５２と、電源制御部２５３とを有している。電池２５１は、ＤＴＥ１１の各部に対して電力を供給するためのものである。充電インターフェイス部２５２は、電池２５１に対して充電を行うための充電器（図示省略）を接続するためのインターフェイスである。なお、充電器は外部電源（例えば、家庭用電源）から電力の供給を受け、充電インターフェイス部２５２を介して当該電力を電池２５１へ供給し、電池２５１に対して充電を行うためのものである。電源制御部２５３は充電インターフェイス部２５２を介して電池２５１に対して充電が開始されたか否かを判定するものである。そして、充電が開始されたと判定した場合には、電源制御部２５３はその旨をＣＰＵ２１に通知するものである。
【００２５】
（２−２）ＤＴＥ１１の機能
ユーザにより電源ボタン（図示省略）が押下されると、ＤＴＥ１１のＣＰＵ２１は、まず、ＯＳを不揮発性記憶部２４から読み出し、これを起動する。ＯＳの起動を完了し、ＯＳを実行中のＣＰＵ２１は、ＤＴＥ１１の各部を制御することができる。また、ＯＳの起動を完了すると、ＣＰＵ２１は、即座に、バックアップ要求プログラムを不揮発性記憶部２４から読み出し、これを実行する。
【００２６】
バックアップ要求プログラムを実行中のＣＰＵ２１は、電池２５１に対して充電が開始されたことを電源制御部２５３から通知されると、コンテンツ記憶領域２４２に記憶されているコンテンツを読み出して、当該コンテンツの記憶を要求するリクエスト（以下、「バックアップ要求」とする）を生成し、当該バックアップ要求を無線通信部２２を介してバックアップ先識別子で示される宛先へ送信する。なお、当該バックアップ要求には、当該バックアップ要求の送信元であるＤＴＥ１１の端末識別子と、バックアップ処理装置１３に記憶させるべきコンテンツとが包含されている。
【００２７】
（３）バックアップ処理装置１３の構成と機能
（３−１）バックアップ処理装置１３の構成
図３は、バックアップ処理装置１３の構成の一例を示すブロック図であり、この図に示されるように、バックアップ処理装置１３の構成は、無線通信部２２に替えて有線通信部３２を設けた点と、不揮発性記憶部２４に替えて不揮発性記憶部３４を設けた点と、電源部２５に替えて電源部３５を設けた点と、外部記憶部３７を設けた点とを除き、ＤＴＥ１１の構成と同一である。
【００２８】
ここで、有線通信部３２は、通信網１２のＧＷ（図示省略）に有線接続されており、ＣＰＵ２１から供給された情報を通信網１２へ送出するとともに、通信網１２から受信した情報をＣＰＵ２１へ渡すものである。不揮発性記憶部３４は、例えばハードディスクであり、ＯＳと後述するバックアップ処理プログラムとを記憶している。また、詳細は後述するが、不揮発性記憶部３４には、ＤＴＥ１１から送信されてきたコンテンツが記憶される。電源部３５は、外部電源から電力の供給を受け、当該バックアップ処理装置１３の各部へ電力を供給するためのものである。外部記憶部３７は、例えばＣＤ−ＲＯＭ（Compact Disk-Read Only Memory）等のコンピュータ装置読み取り可能な記録媒体に記憶されている情報を読み取る装置であり、当該記録媒体から読み取った情報をＣＰＵ２１へ渡すものである。
【００２９】
（３−２）バックアップ処理装置１３の機能
管理者により電源ボタン（図示省略）が押下されると、バックアップ処理装置１３のＣＰＵ２１は、まず、ＯＳを不揮発性記憶部３４から読み出し、これを起動する。ＯＳの起動を完了し、ＯＳを実行中のＣＰＵ２１は、当該バックアップ処理装置１３の各部を制御すること、複数のプログラムを並列に実行することができる。また、ＯＳの起動を完了すると、ＣＰＵ２１は、即座に、上述したバックアップ処理プログラムを不揮発性記憶部３４から読み出し、これを実行する。
【００３０】
バックアップ処理プログラムを実行中のＣＰＵ２１は、上述した管理者により、当該バックアップ処理プログラムの終了を指示されるまで、ＤＴＥ１１から送信されてきたバックアップ要求の受信を待ち続ける。ここで、有線通信部３２を介してＣＰＵ２１が当該バックアップ要求を受信すると、ＣＰＵ２１は当該バックアップ要求を解析して、端末識別子とコンテンツとを取得する。そして、ＣＰＵ２１は当該端末識別子と当該コンテンツとを対応付けて、例えば、図４に示す表形式で不揮発性記憶部３４に記憶する。
【００３１】
（４）動作例
次に、上述したＤＴＥ１１とバックアップ処理装置１３とを用いて、ＤＴＥ１１に記憶されているコンテンツをバックアップ処理装置１３に記憶させる動作の流れを図５に示すシーケンスフローチャートを用いて説明する。なお、以下に説明する動作例の前提として、ＤＴＥ１１の端末識別子は、“０９０ＸＸＸＸＸＸＸＸ”であるとする。またＤＴＥ１１のＣＰＵ２１は、上述したバックアップ要求プログラムを実行中であり、バックアップ処理装置１３のＣＰＵ２１は、上述したバックアップ処理プログラムを実行中であるものとする。また、図６に示されるように、ＤＴＥ１１のコンテンツ記憶領域２４２には、それぞれ一つのゲームプログラムと、待ち受け画像と、着信メロディとが記憶されていたものとする。また、同図に示されるように、本動作の開始時点では、バックアップ処理装置１３の不揮発性記憶部３４には、当該ＤＴＥ１１のユーザのコンテンツは記憶されていないものとする。
【００３２】
ＤＴＥ１１では、バックアップ要求プログラムを実行中のＣＰＵ２１が、電池２５１に対して充電が開始されたか否かの判定を行っている（ステップＳＡ１）。充電か開始された場合には、ＣＰＵ２１は、ステップＳＡ２以降の処理を行い、逆に、充電が開始されていな場合には、ＣＰＵ２１は、充電が開始されるまでステップＳＡ１を繰り返し実行している。
ここで、ＤＴＥ１１のユーザが上述した充電インターフェイス部２５２に充電器を接続し、ＤＴＥ１１の電池２５１に対して充電を開始したとする。すると、ＣＰＵ２１は、電池２５１に対して充電が開始されたことを示す通知を上述した電源制御部２５３から受け取り、充電が開始されたと判定して、ステップＳＡ２以降の処理を行う。
【００３３】
ステップＳＡ１に後続するステップＳＡ２では、ＣＰＵ２１は、コンテンツ記憶領域２４２からコンテンツを読み出す。次に、ＣＰＵ２１はシステム情報記憶領域２４１に記憶されている端末識別子とステップＳＡ２で読み出したコンテンツとを含むバックアップ要求５１を生成し、無線通信部２２を介して、当該バックアップ要求５１をシステム情報記憶領域２４１に記憶されているバックアップ先識別子で示される宛先に送信する（ステップＳＡ３）。
【００３４】
ここで、バックアップ先識別子はバックアップ処理装置１３を示しているので、ステップＳＡ３でＤＴＥ１１から送信されたバックアップ要求５１は、通信網１２に内包された基地局と交換装置とＧＷとを順に介してバックアップ処理装置１３に到達する。
【００３５】
一方、バックアップ処理装置１３のＣＰＵ２１は、上述したバックアップ処理プログラムを既に実行中であり、有線通信部３２を介して当該バックアップ要求５１を受信すると（ステップＳＡ４）、当該バックアップ要求５１を解析して、端末識別子とコンテンツとを取得する（ステップＳＡ５）。
次に、ＣＰＵ２１は、ステップＳＡ５で取得した端末識別子とコンテンツとを対応付けて不揮発性記憶部３４に記憶する（ステップＳＡ６）。そして、ＣＰＵ２１は、コンテンツの記憶を完了したことを示す完了通知５２を生成し、有線通信部３２を介して当該完了通知５２をステップＳＡ５で取得した端末識別子で示される移動通信端末（すなわち、ＤＴＥ１１）へ送信する（ステップＳＡ７）。
【００３６】
次に、ＣＰＵ２１は管理者によりバックアップ処理プログラムの終了を指示されたか否かを判定（ステップＳＡ８）し、終了を指示されていない場合には、ステップＳＡ４以降の処理を繰り返し、逆に、終了を指示された場合には、当該バックアップ処理プログラムを終了する。
【００３７】
上述したステップＳＡ７にて、バックアップ処理装置１３から送信された完了通知５２は、通信網１２に内包されたＧＷと、交換装置と、基地局とを順に介してＤＴＥ１１に到達する。
【００３８】
ＤＴＥ１１のＣＰＵ２１が無線通信部２２を介して、この完了通知５２を受信すると（ステップＳＡ９）、ＣＰＵ２１はユーザにより当該バックアップ要求プログラムの終了を指示されたか否かを判定し（ステップＳＡ１０）、終了を指示されていない場合には、ステップＳＡ１以降の処理を繰り返し、逆に、終了を指示された場合には、ＣＰＵ２１は当該バックアップ要求プログラムを終了する。以上の動作により、ＤＴＥ１１のコンテンツ記憶領域２４２およびバックアップ処理装置１３の不揮発性記憶部３４の記憶内容は、図７に示す状態となる。
【００３９】
（５）実施形態の効果
以上説明したように、本実施形態によれば、ＤＴＥ１１の電池２５１に対して外部電源から充電が開始されたときに、当該ＤＴＥ１１はバックアップを開始するため、電池切れに起因するバックアップの中断が発生せず、バックアップが確実に完遂されるといった効果を奏する。
【００４０】
（６）変形例
（６−１）変形例１
上述の実施形態では、ＤＴＥ１１の電池２５１に対して充電が開始されたか否かを判定し（図５：ステップＳＡ１参照）、充電が開始されたと判定した場合に、コンテンツ記憶領域２４２に記憶されているコンテンツを全てバックアップ処理装置１３へ送信し、これら全てのコンテンツをバックアップ処理装置１３に記憶させる場合について説明したが、バックアップ処理装置１３に記憶させるコンテンツを予めユーザに定めさせておき、当該コンテンツのみをバックアップ処理装置１３に記憶させるようにしても良い。
このように、ユーザの所望するコンテンツのみをバックアップ処理装置１３に記憶させるとしたのは、次のような理由による。すなわち、ＤＴＥ１１と通信網１２との間で行われる通信に対しては、一般に、通信した情報の量に応じて通信料金が課金される。ＤＴＥ１１に記憶されている全てのコンテンツを含んだバックアップ要求の送信を行うとすると、バックアップ処理装置１３へ記憶させる必要のないコンテンツの送信に係る通信料金もユーザが負担せねばならず、不経済である。上述したように、コンテンツ毎にバックアップ処理装置１３に記憶させるか否かを設定すれば、この問題点を解決できるといった効果を奏する。
【００４１】
（６−２）変形例２
上述の実施形態に係るＤＴＥ１１に、コンテンツ記憶領域２４２に記憶されているコンテンツ毎に、当該コンテンツがバックアップ処理装置１３に記憶されたか否かを表示する機能を付与しても良い。
このように、コンテンツ毎に当該コンテンツがバックアップ処理装置１３に記憶されたか否かを表示すると、当該表示に基づき、何れのコンテンツを削除すべきかをユーザが判断できるようになる。このような判断が可能となると、例えば、ユーザがＤＴＥ１１に新たなコンテンツを記憶させようとしたときに、当該ＤＴＥ１１の記憶容量が不足する場合であっても、バックアップ処理装置１３に記憶させたコンテンツをＤＴＥ１１から削除して記憶容量を確保し、所望のコンテンツをＤＴＥ１１に記憶させることが可能となる。
【００４２】
（６−３）変形例３
上述の実施形態に係るＤＴＥ１１に、バックアップ処理装置１３に記憶させたコンテンツを通信網１２を介して取得し、コンテンツ記憶領域２４２に記憶する機能を付与しても良い。このような機能を付与すると、例えばユーザが誤って消去したコンテンツをバックアップ処理装置１３から取得することが可能となる。また、ＤＴＥ１１がバックアップ処理装置１３に記憶されたコンテンツを取得する際に、予めコンテンツ記憶領域２４２の空き容量と当該コンテンツの大きさとを比較して、前者が後者より大きい場合にのみ、当該コンテンツを取得するとしても良い。このような比較を行ってからコンテンツの取得を行うようにすると、コンテンツ記憶領域２４２に記憶不可能な大きさのコンテンツを取得してしまうような無駄な通信の実行が排除されるいった効果を奏する。
【００４３】
（６−４）変形例４
上述の実施形態では、ＤＴＥ１１の電池２５１に対して充電が開始されたときに、バックアップ要求の送信を行う場合について説明したが、当該ＤＴＥ１１が特定の地域に入ったときに、バックアップ要求の送信を行うとしても良い。本変形例によれば、特定の地域として、ＤＴＥ１１と通信網１２の基地局（図示省略）とが確実に無線通信を行える地域を指定しておけば、当該地域にＤＴＥ１１を携帯したユーザが移動したときに、コンテンツをバックアップ処理装置１３に記憶させることが可能となる。以下、本変形例に係る移動通信端末の構成および動作について説明する。
【００４４】
（６−４−１）本変形例の構成
まず、図８を用いて本変形例に係る移動通信端末を有する通信システムの全体構成を説明する。図８は当該通信システムの全体構成を示す図であり、ＤＴＥ１１に替えて本変形例に係る移動通信端末であるＤＴＥ８１を設けた点のみが図１に示した通信システムの全体構成と異なっている。
【００４５】
次に、ＤＴＥ８１の構成について説明する。図９は、ＤＴＥ８１の構成を示す図である。この図に示されるように、ＤＴＥ８１は、位置取得部２７を設けた点を除きＤＴＥ１１と同一の構成を有している。位置取得部２７は、例えばＧＰＳ（Global Positioning System）受信機であり、ＣＰＵ２１に当該ＤＴＥ８１の現在位置を示す情報（例えば、ＤＴＥ８１が存在する場所の緯度および経度）を渡すものである。なお、ＧＰＳ受信機とは、地球低軌道に打ち上げられた複数の衛星から発信される電波を受信し、当該ＧＰＳ受信機の現在位置を示す情報を取得するものである。すなわち、ＤＴＥ８１のＣＰＵ２１は当該位置取得部２７を用いて、当該ＤＴＥ８１の現在位置を示す情報を取得することができる。
また、ＤＴＥ８１のシステム情報記憶領域２４１には、後述する地域情報とユーザ設定情報と設定プログラムとが追加記憶されている点が、ＤＴＥ１１と異なっている。地域情報には、図１０に示されるように、地域を特定する情報（例えば、地域名）と当該地域の範囲を示す情報（例えば、緯度の範囲と経度の範囲、以下、「範囲情報」とする）とが内包されている。また、ユーザ設定情報は、図１１に示すように、コンテンツ記憶領域２４２に記憶されているコンテンツを示す情報（例えば、コンテンツ名）と、当該コンテンツをバックアップ処理装置１３に記憶させるべき地域の地域名とが内包されている。
【００４６】
（６−４−２）本変形例の動作
次に、本変形例に係るＤＴＥ８１を有する通信システムの動作について説明する。
（６−４−２−１）設定動作
ＤＴＥ８１のユーザに、上述したユーザ設定情報を入力させる動作の流れを図１２に示すシーケンスフローチャートを参照しつつ説明する。ＤＴＥ８１のユーザが操作部（図示省略）を操作して設定プログラムの実行を指示すると、ＤＴＥ８１のＣＰＵ２１は当該設定プログラムをシステム情報記憶領域２４１から読み出し実行する。そして、当該設定プログラムを実行中のＣＰＵ２１は、まず、上述したユーザ設定情報をシステム情報記憶領域２４１から読み出し、当該ユーザ設定情報を揮発性記憶部２３に記憶させるとともに、当該ユーザ設定情報に内包されたコンテンツ名を領域１３１に設定し、ユーザ設定情報に内包された地域名を領域１３２に設定した状態のユーザ設定情報入力画面（図１３参照）を表示部に表示させる（ステップＳＢ１）。
【００４７】
この画面を視認したユーザは、バックアップ処理装置１３に記憶させることを所望するコンテンツのコンテンツ名を領域１３１に入力することができる。また、ユーザによりプルダウンボタンＢ３が押下されると、ＣＰＵ２１は上述した地域情報に内包された地域名のリストを表示部に表示させる。ユーザは当該リストのなかから所望の地域名を選択することにより、領域１３２に地域名の入力を行うことができる。これらの入力操作により、ユーザは上述したユーザ設定情報の入力を行うことができる。
【００４８】
一方、この画面を表示中のＣＰＵ２１は、操作部を介してユーザの操作内容を示す情報を受け取り（ステップＳＢ２）、ユーザの操作内容の判定を行う（ステップＳＢ３）。すなわち、ＣＰＵ２１は、ユーザの操作内容がユーザ設定情報の入力（以下、「情報入力操作」とする）であるか、記憶ボタンＢ１の押下（以下、「記憶操作」とする）であるか、終了ボタンＢ２の押下（以下、「終了操作」とする）であるかを判定する。
【００４９】
情報入力操作である場合には、ＣＰＵ２１は操作部を介して受け取ったユーザ設定情報で揮発性記憶部２３に記憶されているユーザ設定情報を更新し、この更新後のユーザ設定情報に基づくユーザ設定情報入力画面を表示部に再表示させ、再度ユーザの入力操作を待ち受ける。
記憶操作である場合には、ＣＰＵ２１は揮発性記憶部２３に記憶されているユーザ設定情報で、システム情報記憶領域２４１に記憶されているユーザ設定情報を更新し（ステップＳＢ４）、当該設定プログラムを終了する。
終了操作である場合には、ＣＰＵ２１は上述のユーザ設定情報の更新を行わずに当該設定プログラムを終了する。
【００５０】
（６−４−２−２）バックアップ動作
次に、上述したＤＴＥ８１が特定の地域（地域Ａ）に入ったときに、当該地域に対応付けられたコンテンツをバックアップ処理装置１３に送信し、当該コンテンツをバックアップ処理装置１３に記憶させる動作の流れを図１４に示すシーケンスフローチャートを参照しつつ説明する。なお、当該動作の前提としてＤＴＥ８１のコンテンツ記憶領域２４２とバックアップ処理装置１３の不揮発性記憶部３４とは図６に示す状態であったとする。また、ＤＴＥ８１のシステム情報記憶領域２４１には、図１０に示す地域情報と図１１に示すユーザ設定情報とが記憶されているものとする。
図１４に示すシーケンスフローチャートは、ステップＳＡ１に替えてステップＳＣ１を設けた点と、ステップＳＡ２に替えてステップＳＣ２を設けた点とを除き、図５に示すシーケンスフローチャートと同一である。以下では、図５に示すシーケンスフローチャートとの相違点についてのみ説明する。
【００５１】
ステップＳＣ１では、ＤＴＥ８１のＣＰＵ２１は、当該ＤＴＥ８１が特定の地域に入ったか否かの判定を行う。より詳細に説明すると、当該ステップＳＣ１では、ＤＴＥ８１のＣＰＵ２１は、例えば所定の時間間隔で位置取得部２７から当該ＤＴＥ８１の現在位置を示す情報を取得する。次に、ＣＰＵ２１は、ユーザ設定情報に内包された地域名に対応付けられた範囲情報を上述した地域情報から取得し、現在位置が当該範囲情報で示される範囲内の位置であるか否かを判定する。そして、現在位置が当該地域内の位置でないと判定した場合には、ＣＰＵ２１はステップＳＣ１を繰り返し、逆に、現在位置が当該地域内の位置であると判定した場合には、ＣＰＵ２１は後述するステップＳＣ２を行う。
本動作例では、ＣＰＵ２１は当該ＤＴＥ８１が地域Ａに入ったと判定し、ステップＳＣ２以降の処理を行う。
【００５２】
ステップＳＣ２では、ＣＰＵ２１はバックアップ処理装置１３に送信すべきコンテンツの特定を行う。より詳細に説明すると、当該ステップＳＣ２では、ＤＴＥ８１のＣＰＵ２１はステップＳＣ１で特定した地域名に対応付けられたコンテンツ名で示されるコンテンツをコンテンツ記憶領域２４２から読み出す。すなわち、本動作例の場合、ＣＰＵ２１はゲームプログラムをコンテンツ記憶領域２４２から読み出す（図１１参照）。
【００５３】
以下、ＤＴＥ８１のＣＰＵ２１とバックアップ処理装置１３のＣＰＵ２１とは、上述した実施形態におけるステップＳＡ３〜ステップＳＡ１０を行い、ステップＳＣ２で特定されたコンテンツ（ゲームプログラム）のバックアップを完了する。
その結果、ＤＴＥ８１のコンテンツ記憶領域２４２とバックアップ処理装置１３の不揮発性記憶部とは図１５に示す状態になる。
【００５４】
（６−４−３）本変形例の効果
以上に説明したように、本変形例によれば、ＤＴＥ８１が通信網１２を介して無線通信を確実に行える地域に入ったときに当該ＤＴＥ８１はバックアップを開始するので、無線通信を行えないことに起因するバックアップの中断が発生せず、バックアップが確実に完遂されるといった効果を奏する。
【００５５】
（６−５）変形例５
上述の変形例４では、ＤＴＥ８１が特定の地域に入った場合に、ＤＴＥ８１のＣＰＵ２１がバックアップ要求をバックアップ処理装置１３に送信する場合について説明したが、更に、これに一定の制限を課しても良い。
すなわち、ＤＴＥ８１のユーザが上記特定の地域への出入りが多い場合、頻繁にバックアップ処理が行われることになる。ＤＴＥ８１のユーザが意図しなくても、特定の地域への出入りが１日に複数回あるとすると、バックアップ要求の送信も１日に複数回行われることになる。これは、無意味なトラフィックの混雑化を招くことになる。従って、ＤＴＥ８１が特定の地域に入ったとしても、一定の条件を満たしていない限りバックアップ要求を送信しないようにすることが考えられる。上記一定の条件とは、例えば、ＤＴＥ８１が特定の地域へ入ってから、一定時間が経過しなければ、次回、特定の地域に入ったとしても、バックアップ要求を送信しないようにすれば良い。あるいは、一日にバックアップ要求を送信できる回数を設けておき、その回数を超えた場合には、当該バックアップ要求を送信しないようにすれば良い。このように、特定の地域に入った場合のバックアップ要求の送信に一定に制限を設けることにより、トラフィックの平滑化を図ることができる。
【００５６】
（６−６）変形例６
上述の変形例４では、ＤＴＥ８１が特定の地域に入ったときに、バックアップ要求を送信する場合について説明したが、更に電池２５１の残量をチェックしてから送信しても良い。例えば、電源制御部２５３に、電池２５１の残量を検出させて、当該残量が一定の値以下である場合は、その旨をＣＰＵ２１に対して通知する。これにより、ＤＴＥ８１がバックアップ要求を送信する条件を満たしたとしても、電池２５１の残量が一定の値以下の場合は、当該バックアップ要求を送信しないようにすることができる。
上記のように、電池の残量が一定値以下である場合にバックアップ要求を送信しないようにしたのは、次のような理由による。すなわち、バックアップ要求に含まれるコンテンツは、例えばソフトウェア、画像情報若しくは着信メロディのように大きな情報なので、当該バックアップ要求を送信するには、多くの時間が費やされる。従って、当該バックアップ要求を送信している途中で、電池がなくなってしまうことが考えられる。電池がなくなってしまうと、データ通信が不可能になるので、当該バックアップ要求を正常に送信できなくなる。電池の残量が一定値以下である場合にバックアップ要求を送信しないようにすれば、上記のような問題点は解消できる。
【００５７】
（６−７）変形例７
上述の変形例４では、予めＤＴＥ８１に記憶された位置情報を用いて、バックアップを行うべき地域をユーザに設定させる場合について説明したが、位置取得部２７を用いて取得された現在位置に基づいて当該地域の設定を行っても良い。具体的には、ユーザ設定情報入力画面（図１３参照）において、プルダウンボタンＢ３が押下されたときに表示するリストに“現在位置”という項目を設けておく。係る項目がユーザにより選択された場合には、ＤＴＥ８１のＣＰＵ２１は、ユーザに領域１３２に当該現在位置を識別する情報（例えば、地名やランドマークの名称など）を入力させる。そして、ユーザが記憶操作を行った場合には、ＣＰＵ２１は、ユーザ設定情報の更新（図１２：ステップＳＢ４）を行うとともに、位置取得部２７を用いて現在位置を取得する。次に、ＣＰＵ２１は当該現在位置を中心とする所定の範囲（例えば、東西５００メートル、南北５００メートル）を示す範囲情報を算出して、この範囲情報と領域１３２に入力された地名とを対応付けて位置情報に記憶する。
このように、ＤＴＥ８１の現在位置に基づいてコンテンツをバックアップすべき地域の設定を行うと、例えば、予めＤＴＥ８１に記憶された位置情報にユーザの勤務地や自宅などを含む地域が設定されていない場合であっても、これらの地域をコンテンツをバックアップすべき地域として設定することが可能となる。
【００５８】
（６−８）変形例８
上述の実施形態および変形例４では、バックアップ対象が、ソフトウェアや待ち受け画像若しくは着信メロディなどのコンテンツである場合について説明したが、本発明に係るバックアップの対象は、これらの情報に限定されるものではなく、例えばＤＴＥ１１やＤＴＥ８１が通信網１２を介して行った通信の履歴を示す履歴情報（例えば、着信履歴や発信履歴）であっても良い。
また、上述した実施形態では、電池２５１に対して充電が開始されたときに、ＤＴＥ１１が自装置に記憶している情報のバックアップを開始する場合について説明したが、上述した履歴情報がバックアップ対象である場合には、更に、一定の条件を加えても良い。すなわち、ＤＴＥ１１に記憶されている履歴情報の件数が、所定の件数を超えたときにのみ、当該履歴情報を全てバックアップ処理装置１３に送信するとしても良い。また、バックアップ処理装置１３に送信する履歴情報の件数を予めユーザに設定させておき、当該件数分の履歴情報をバックアップ処理装置１３に送信するとしても良い。
このように、自装置に記憶している履歴情報の件数が所定の件数を超えたときにのみ、当該履歴情報をバックアップ処理装置１３に送信するとしたのは、次のような理由による。すなわち、一般に、移動通信端末が記憶可能な履歴情報の件数には制限があり、履歴情報の件数が当該制限を超えた後には、当該履歴情報は、古いものから順に上書きされてしまう。このため、ユーザが過去に行った通信の履歴を参照しようとしたときに、所望の通信に関する履歴情報が既に上書きされていることがあり得る。上述したように履歴情報の件数が所定の件数に達したときに、履歴情報をバックアップ処理装置１３に記憶するようにすれば、係る問題点を解決することができる。
【００５９】
（６−９）変形例９
また、変形例８に係るＤＴＥ１１やＤＴＥ８１に、バックアップ処理装置１３に送信した履歴情報を不揮発性記憶部２４から削除する機能を付与しても良い。このようにバックアップ処理装置１３に送信した履歴情報を不揮発性記憶部２４から削除すると、当該削除された件数分の通信を行うまで、バックアップを実行することがなく、無駄な通信が削減されるといった効果を奏する。
【００６０】
（６−１０）変形例１０
上述の実施形態および変形例４では、移動通信端末としてプログラム実行機能付き携帯電話機を用いる場合について説明したが、本発明に係る移動通信端末は、係る携帯電話機に限定されるものではなく、ＰＤＡ（Personal Digital Assistance）であっても良い。要は、プログラム実行機能を有する移動通信端末であれば良い。
【００６１】
（６−１１）変形例１１
上述の実施形態および変形例４では、移動通信端末に情報を記憶させ、バックアップを開始するか否かを当該移動通信端末が判定する場合について説明したが、移動通信端末に着脱可能な情報記憶モジュール（例えば、ＵＩＭ（User Identity Module ））に情報を記憶させるとともに、上述したバックアップ要求プログラムを記憶させ、当該プログラムを情報記憶モジュールが実行することにより、バックアップを開始するか否かを判定するとしても良い。
以下、本変形例に係る情報記憶モジュール（以下、「ＵＩＭ」とする）１６１の構成例を図１６を用いて説明する。この図に示されるように、ＵＩＭ１６１は、無線通信部２２を有しない点と、電源部２５を有しない点と、端末接続インターフェイス部２８を設けた点とを除き、図２に示すＤＴＥ１１と同一の構成を有する。ここで、端末接続インターフェイス部２８は、当該ＵＩＭ１６１を接続可能な移動通信端末にＵＩＭ１６１を着脱可能に接続するためのものであり、ＵＩＭ１６１と移動通信端末との情報を授受を仲介するものである。また、ＵＩＭ１６１の不揮発性記憶部２４の記憶内容は、ＤＴＥ１１の不揮発性記憶部２４の記憶内容と同一である。すなわち、不揮発性記憶部２４はシステム情報記憶領域２４１とコンテンツ記憶領域２４２とを有している。システム情報記憶領域２４１には、端末識別子やバックアップ先識別子などの各種識別情報と、ＯＳやバックアップ要求プログラム等のソフトウェアとが記憶されている。また、コンテンツ記憶領域２４２には、コンテンツが記憶されている。
ＵＩＭ１６１のＣＰＵ２１がシステム情報記憶領域２４１に記憶されているソフトウェアを実行することにより、当該ＵＩＭ１６１を接続した移動通信端末には、上述したＤＴＥ１１の機能と同一の機能が付与される。すなわち、ＵＩＭ１６１を接続した移動通信端末の電源ボタン（図示省略）が押下されると、ＵＩＭ１６１のＣＰＵ２１は、まず、ＯＳを起動し、ＯＳの起動を完了すると、ＣＰＵ２１は、即座に、バックアップ要求プログラムを実行する。
以下、ＵＩＭ１６１を接続した移動通信端末は、上述したＤＴＥ１１と同一の動作を行い、ＵＩＭ１６１のコンテンツ記憶領域２４２に記憶されたコンテンツのバックアップを行う。すなわち、バックアップ要求プログラムを実行中のＵＩＭ１６１のＣＰＵ２１は、移動通信端末の電池に対して充電が開始されたことを通知されると、コンテンツ記憶領域２４２に記憶されているコンテンツを読み出して、上述したバックアップ要求を生成し、移動通信端末に当該バックアップ要求をバックアップ先識別子で示される宛先へ送信させる。このバックアップ要求を受信したバックアップ処理装置１３は、当該バックアップ要求に含まれるコンテンツを記憶し、バックアップが完了する。
【００６２】
（６−１２）変形例１２
上述の実施形態および変形例４では、ＤＴＥ１１やＤＴＥ８１の不揮発性記憶部２４に上述したバックアップ要求プログラムを記憶させておく場合について説明したが、当該プログラムを記憶していない、一般的なブラウザ機能付き携帯電話機に当該プログラムをインストールすることにより、上述したＤＴＥ１１やＤＴＥ８１と同一の機能を付与するとしても良い。
具体的には、バックアップ要求プログラムを記録したコンピュータ装置読み取り可能な記録媒体から、上述した外部記憶部３７を用いてバックアップ処理装置１３に、このプログラムを読み取らせて、これらのプログラムをバックアップ処理装置１３の不揮発性記憶部３４に記憶させる。そして、ブラウザ機能付きの一般的な携帯電話機でブラウザを用いて当該バックアップ処理装置１３から、このプログラムをダウンロードして、当該携帯電話機の不揮発性記憶部２４に当該プログラムを記憶させても良い。
また、上述の変形例１１では、ＵＩＭ１６１の不揮発性記憶部２４に上述したバックアップ要求プログラムを記憶させておく場合について説明したが、当該プログラムを記憶していない、一般的な情報記憶モジュールに当該プログラムをインストールすることにより、上述したＵＩＭ１６１と同一の機能を付与するとしても良い。
具体的には、上述したようにバックアップ要求プログラムをバックアップ処理装置１３の不揮発性記憶部３４に記憶させておき、当該情報記憶モジュールを接続した携帯電話機でブラウザを用いて当該バックアップ処理装置１３から、このプログラムをダウンロードして、当該情報記憶モジュールの不揮発性記憶部２４に当該プログラムを記憶させても良い。
【００６３】
【発明の効果】
以上説明したように、本発明によれば、ユーザをわずらわすことなく、移動通信端末に記憶された情報のバックアップが確実に完遂されるといった効果を奏する。
【００６４】
【図面の簡単な説明】
【図１】  本発明の実施形態に係る通信システムの全体構成を示す図である。
【図２】  同通信システムを構成するＤＴＥ１１の構成例を示すブロック図である。
【図３】  同通信システムを構成するバックアップ処理装置１３の構成例を示すブロック図である。
【図４】  同バックアップ処理装置１３の不揮発性記憶部２４の記憶内容の一例を示す図である。
【図５】  同通信システムにおけるバックアップ動作の流れを示すシーケンスフローチャートである。
【図６】  同通信システムにおけるＤＴＥ１１のコンテンツ記憶領域２４２の記憶内容と、バックアップ処理装置１３の不揮発性記憶部３４の記憶内容の一例を示す図である。
【図７】  同通信システムにおけるＤＴＥ１１のコンテンツ記憶領域２４２の記憶内容と、バックアップ処理装置１３の不揮発性記憶部３４の記憶内容の一例を示す図である。
【図８】  変形例４に係る通信システムの全体構成を示す図である。
【図９】  同通信システムを構成するＤＴＥ８１の構成例を示すブロック図である。
【図１０】  同ＤＴＥ８１のシステム情報記憶領域２４１に記憶されている地域情報の一例を示す図である。
【図１１】  同ＤＴＥ８１のシステム情報記憶領域２４１に記憶されているユーザ設定情報の一例を示す図である。
【図１２】  同ＤＴＥ８１のユーザ設定情報入力動作の流れを示すフローチャートである。
【図１３】  同ＤＴＥ８１の表示部に表示されるユーザ設定情報入力画面の一例を示す図である。
【図１４】  同通信システムにおけるバックアップ動作の流れを示すシーケンスフローチャートである。
【図１５】  同通信システムにおけるＤＴＥ８１のコンテンツ記憶領域２４２の記憶内容と、バックアップ処理装置１３の不揮発性記憶部３４の記憶内容の一例を示す図である。
【図１６】  変形例１１に係るＵＩＭ１６１の構成例を示すブロック図である。
【符号の説明】
１１、８１…ＤＴＥ、１２・・・通信網、１３・・・バックアップ処理装置、１６１…ＵＩＭ、２１・・・ＣＰＵ、２２・・・無線通信部、２３・・・揮発性記憶部、２４・・・不揮発性記憶部、２４１・・・システム情報記憶領域、２４２・・・コンテンツ記憶領域、２５・・・電源部、２５１・・・電池、２５２・・・充電インターフェイス部、２５３・・・電源制御部、２６・・・バス、２７…位置取得部、２８…端末接続インターフェイス部、３２・・・有線通信部、３４・・・不揮発性記憶部、３５・・・電源部、３７・・・外部記憶部。
【図１】
0004173320.tif 000002
【図２】
0004173320.tif 000003
【図３】
0004173320.tif 000004
【図４】
0004173320.tif 000005
【図５】
0004173320.tif 000006
【図６】
0004173320.tif 000007
【図７】
0004173320.tif 000008
【図８】
0004173320.tif 000009
【図９】
0004173320.tif 000010
【図１０】
0004173320.tif 000011
【図１１】
0004173320.tif 000012
【図１２】
0004173320.tif 000013
【図１３】
0004173320.tif 000014
【図１４】
0004173320.tif 000015
【図１５】
0004173320.tif 000016
【図１６】
0004173320.tif 000017